(57)【要約】  第１の髄内釘プロテーゼと第１の髄内釘プロテーゼにヒンジ接続された第２の髄内釘プロテーゼとを備え、第１の髄内釘プロテーゼが骨髄腔内に配置するように構成された第１の髄内釘と第１の髄内釘に接続され骨髄腔の外部に位置する第２の髄内釘とを備え、第２の髄内釘が第２の髄内釘プロテーゼにヒンジ接続されており、第１の髄内釘及び／又は第２の髄内釘及び／又は第２の髄内釘プロテーゼの外面に立体多孔質構造層が形成されている指関節プロテーゼ及びその製造方法。当該指関節プロテーゼの外面は、より良好な骨の内殖能力及び骨クローリング能力を獲得可能であり、指関節プロテーゼの固定をより安定させる。【選択図】図１
2021526061.tif 000002
【特許請求の範囲】
【請求項１】
指関節プロテーゼであって、
第１の髄内釘プロテーゼと、前記第１の髄内釘プロテーゼにヒンジ接続された第２の髄内釘プロテーゼとを備え、
前記第１の髄内釘プロテーゼは、骨髄腔内に配置するように構成された第１の髄内釘と、前記第１の髄内釘に接続され骨髄腔の外部に位置する第２の髄内釘とを備え、
前記第２の髄内釘は、前記第２の髄内釘プロテーゼにヒンジ接続されており、
前記第１の髄内釘及び／又は前記第２の髄内釘及び／又は前記第２の髄内釘プロテーゼの外面には、立体多孔質構造層が形成されていることを特徴とする指関節プロテーゼ。
【請求項２】
前記指関節プロテーゼは、足指関節プロテーゼであり、
前記第１の髄内釘プロテーゼは、中足骨に接続するように構成されており、
前記第２の髄内釘プロテーゼは、趾骨に接続するように構成されており、
前記第１の髄内釘は、前記中足骨の骨髄腔の内部に位置し、
前記第２の髄内釘は、前記中足骨の骨髄腔の外部に位置し、前記中足骨の端面に当接していることを特徴とする請求項１に記載の指関節プロテーゼ。
【請求項３】
前記指関節プロテーゼは、手指関節プロテーゼであり、
前記第１の髄内釘プロテーゼは、中手骨に接続するように構成されており、
前記第２の髄内釘プロテーゼは、指骨に接続するように構成されており、
前記第１の髄内釘は、前記中手骨の骨髄腔の内部に位置し、
前記第２の髄内釘は、前記中手骨の骨髄腔の外部に位置し、前記中手骨の端面に当接していることを特徴とする請求項１に記載の指関節プロテーゼ。
【請求項４】
前記立体多孔質構造層は、複数のストラットと、複数のストラットが千鳥状に接続されてなる複数の孔隙とを備え、
各孔隙は互いに連通し、各孔隙の平均直径が異なり、
各前記孔隙の平均直径は１００μｍ〜４００μｍの範囲であり、
前記立体多孔質構造層の孔隙率は５０％〜８０％の範囲であることを特徴とする請求項１〜３のいずれか１項に記載の指関節プロテーゼ。
【請求項５】
前記第１の髄内釘の外面に形成された前記立体多孔質構造層における各孔隙の平均直径は、前記第２の髄内釘の外面に形成された前記立体多孔質構造層における各孔隙の平均直径よりも大きいことを特徴とする請求項１〜３のいずれか１項に記載の指関節プロテーゼ。
【請求項６】
前記第１の髄内釘プロテーゼは、前記第２の髄内釘に固定接続されたヒンジジョイントをさらに備え、
前記ヒンジジョイントにおける前記第２の髄内釘プロテーゼに対向する一端は、球面として構成されており、
前記第２の髄内釘プロテーゼは、球形凹部を備え、
前記球形凹部における前記ヒンジジョイントに対向する端面は、前記球面に合わせた凹状球面として構成されていることを特徴とする請求項１〜３のいずれか１項に記載の指関節プロテーゼ。
【請求項７】
前記第２の髄内釘プロテーゼは、前記球形凹部に接続された針状部をさらに備え、
前記球形凹部は、前記凹状球面と前記針状部の外周壁との間に接続され外向きに突出した弧状表面をさらに備え、
前記立体多孔質構造層は、前記弧状表面に形成されていることを特徴とする請求項６に記載の指関節プロテーゼ。
【請求項８】
前記球形凹部の弧状表面は、骨髄腔内に延びるように構成された第１の表面と、骨髄腔の外側に位置する第２の表面とを備え、
前記第１の表面に形成された立体多孔質構造層における各孔隙の平均直径は、前記第２の表面に形成された立体多孔質構造層における各孔隙の平均直径よりも大きいことを特徴とする請求項７に記載の指関節プロテーゼ。
【請求項９】
前記第１の表面に形成された立体多孔質構造層における各孔隙の平均直径は、１００μｍ〜２００μｍの範囲であり、
前記第２の表面に形成された立体多孔質構造層における各孔隙の平均直径は、２００μｍ〜４００μｍの範囲であることを特徴とする請求項８に記載の指関節プロテーゼ。
【請求項１０】
前記第２の髄内釘の側壁には、前記第２の髄内釘を貫通する第１の縫線穴が形成されており、
前記ヒンジジョイントにおける前記第２の髄内釘に近接する一端には、前記ヒンジジョイントを貫通する第２の縫線穴が形成されていることを特徴とする請求項６に記載の指関節プロテーゼ。
【請求項１１】
前記針状部の外面は、粗面として構成されていることを特徴とする請求項７〜１０のいずれか１項に記載の指関節プロテーゼ。
【請求項１２】
前記第１の髄内釘と前記第２の髄内釘と前記多孔質立体構造層とは一体的に成形されており、及び／又は、前記第２の髄内釘プロテーゼと前記多孔質立体構造層とは一体的に成形されていることを特徴とする請求項１〜３のいずれか１項に記載の指関節プロテーゼ。
【請求項１３】
指関節プロテーゼの製造方法であって、
第１の髄内釘及び／又は第２の髄内釘及び／又は第２の髄内釘プロテーゼの外面に立体多孔質構造層を形成するステップ（１）と、
第１の髄内釘を骨髄腔内に配置し、第２の髄内釘を骨髄腔の外部に配置し、第１の髄内釘を第２の髄内釘と接続し、第１の髄内釘プロテーゼを構成するステップ（２）と、
第１の髄内釘プロテーゼを第２の髄内釘プロテーゼとヒンジ接続し、指関節プロテーゼを構成するステップ（３）と、を含むことを特徴とする指関節プロテーゼの製造方法。
【請求項１４】
前記指関節プロテーゼは、足指関節プロテーゼであり、
前記第１の髄内釘プロテーゼは、中足骨に接続するように構成されており、
前記第２の髄内釘プロテーゼは、趾骨に接続するように構成されており、
前記第１の髄内釘は、前記中足骨の骨髄腔の内部に位置し、
前記第２の髄内釘は、前記中足骨の骨髄腔の外部に位置し、前記中足骨の端面に当接していることを特徴とする請求項１３に記載の指関節プロテーゼの製造方法。
【請求項１５】
前記指関節プロテーゼは、手指関節プロテーゼであり、
前記第１の髄内釘プロテーゼは、中手骨に接続するように構成されており、
前記第２の髄内釘プロテーゼは、指骨に接続するように構成されており、
前記第１の髄内釘は、前記中手骨の骨髄腔の内部に位置し、
前記第２の髄内釘は、前記中手骨の骨髄腔の外部に位置し、前記中手骨の端面に当接していることを特徴とする請求項１３に記載の指関節プロテーゼの製造方法。
【請求項１６】
ステップ（１）において、第１の髄内釘及び／又は第２の髄内釘及び／又は第２の髄内釘プロテーゼの外面に立体多孔質構造層を形成することは、
第１の髄内釘及び／又は第２の髄内釘及び／又は第２の髄内釘プロテーゼをマイクロＣＴで三次元スキャンし、スキャンされたデータをＭＩＭＩＣＳでリモデリングし、三次元概略モデルを取得するステップと、
三次元概略モデルを、同種の組織の異なる成長要件にそれぞれ適合した領域に分割し、異なる領域が異なる孔隙率を有するように、各領域の孔隙の直径をさらに調整するステップと、
３Ｄ印刷装置で第１の髄内釘及び／又は第２の髄内釘及び／又は第２の髄内釘プロテーゼのソリッドモデルを生成し、３Ｄ印刷装置のフォーカスオフセットパラメータを５．８ｍＡ〜６．２ｍＡの範囲において調整することにより、生成されたソリッドモデルにおけるストラットの表面に複数の凸起を形成するステップと、を含むことを特徴とする請求項１３〜１５のいずれか１項に記載の指関節プロテーゼの製造方法。
【請求項１７】
前記第１の髄内釘の外面に形成された前記立体多孔質構造層における各孔隙の平均直径は、前記第２の髄内釘の外面に形成された前記立体多孔質構造層における各孔隙の平均直径よりも大きいことを特徴とする請求項１３〜１５のいずれか１項に記載の指関節プロテーゼの製造方法。
【請求項１８】
前記第１の髄内釘プロテーゼは、前記第２の髄内釘に固定接続されたヒンジジョイントをさらに備え、
前記ヒンジジョイントにおける前記第２の髄内釘プロテーゼに対向する一端は、球面として構成されており、
前記第２の髄内釘プロテーゼは、球形凹部を備え、
前記球形凹部における前記ヒンジジョイントに対向する端面は、前記球面に合わせた凹状球面として構成されていることを特徴とする請求項１３〜１５のいずれか１項に記載の指関節プロテーゼの製造方法。
【請求項１９】
前記第２の髄内釘プロテーゼは、前記球形凹部に接続された針状部をさらに備え、
前記球形凹部は、前記凹状球面と前記針状部の外周壁との間に接続され外向きに突出した弧状表面をさらに備え、
前記立体多孔質構造層は、前記弧状表面に形成されていることを特徴とする請求項１８に記載の指関節プロテーゼの製造方法。
【請求項２０】
前記球形凹部の弧状表面は、骨髄腔内に延びるように構成された第１の表面と、骨髄腔の外側に位置する第２の表面とを備え、
前記第１の表面に形成された立体多孔質構造層における各孔隙の平均直径は、前記第２の表面に形成された立体多孔質構造層における各孔隙の平均直径よりも大きいことを特徴とする請求項１９に記載の指関節プロテーゼの製造方法。
【請求項２１】
前記第１の表面に形成された立体多孔質構造層における各孔隙の平均直径は、１００μｍ〜２００μｍの範囲であり、
前記第２の表面に形成された立体多孔質構造層における各孔隙の平均直径は、２００μｍ〜４００μｍの範囲であることを特徴とする請求項２０に記載の指関節プロテーゼの製造方法。
【請求項２２】
前記第２の髄内釘の側壁には、前記第２の髄内釘を貫通する第１の縫線穴が形成されており、
前記ヒンジジョイントにおける前記第２の髄内釘に近接する一端には、前記ヒンジジョイントを貫通する第２の縫線穴が形成されていることを特徴とする請求項２１に記載の指関節プロテーゼの製造方法。
【請求項２３】
前記針状部の外面は、粗面として構成されていることを特徴とする請求項１９〜２１のいずれか１項に記載の指関節プロテーゼの製造方法。
【請求項２４】
前記第１の髄内釘と前記第２の髄内釘と前記多孔質立体構造層とは一体的に成形されており、及び／又は、前記第２の髄内釘プロテーゼと前記多孔質立体構造層とは一体的に成形されていることを特徴とする請求項１３〜１５のいずれか１項に記載の指関節プロテーゼの製造方法。
【発明の詳細な説明】
【技術分野】
【０００１】
［関連出願の相互参照］
本出願は、Beijing Chunlizhengda Medical Instruments Co., Ltd.により２０１８年１２月４日に出願された、発明の名称が「指関節プロテーゼ」である中国特許出願第２０１８１１４７２４１４．９号の優先権を主張し、その開示の全体が参照により本明細書に組み込まれる。
【０００２】
［技術分野］
本発明は、医療用プロテーゼの技術分野に関し、特に、指関節プロテーゼ及びその製造方法に関する。
【背景技術】
【０００３】
指関節プロテーゼは、指関節置換術において患者の指関節部位を置き換えるために使用される外科用インプラントである。腫瘍や粉砕骨折などの事情で人体の指関節を修復する必要がある場合、指関節の深刻な骨欠損を引き起こしやすい。深刻な骨欠損は、指関節における骨切り位置の支持力を低下させるだけでなく、指関節における筋肉付着点の欠損や関節包の損傷などの問題を引き起こしやすい。この場合、患者の指関節を置き換えるために適切な指関節プロテーゼを選択する必要がある。
【０００４】
従来の指関節プロテーゼは、主に第１の髄内釘プロテーゼ（bone nail prosthesis）と第２の髄内釘プロテーゼで構成されている。第１の髄内釘プロテーゼと第２の髄内釘プロテーゼとの間は、ヒンジで接続されることにより、指関節プロテーゼの可動機能を実現する。しかしながら、従来の指関節プロテーゼでは、第１の髄内釘プロテーゼ及び第２の髄内釘プロテーゼがそれぞれ患部における骨切り部に効果的に固定することができない一方、指関節プロテーゼの近くの筋肉の付着点及び関節包をより効果的に再構築することもできないため、移植後の指関節プロテーゼの安定性を保証できず、患者の術後のリハビリテーションに不利であり、ひいては患者に二次的損傷を与えやすくなる。
【０００５】
従来技術に存在する問題点について、当業者は、これらの問題点を解決するために、移植後に、より安定した指関節プロテーゼを求めることが急務である。
【発明の概要】
【０００６】
移植後の指関節プロテーゼをより安定させるために、本発明は、指関節プロテーゼ及びその製造方法を提供する。
【０００７】
本発明による指関節プロテーゼは、第１の髄内釘プロテーゼと、第１の髄内釘プロテーゼにヒンジ接続された第２の髄内釘プロテーゼとを備え、第１の髄内釘プロテーゼは、骨髄腔内に配置するように構成された第１の髄内釘と、第１の髄内釘に接続され骨髄腔の外部に位置する第２の髄内釘とを備え、第２の髄内釘は、第２の髄内釘プロテーゼにヒンジ接続されており、第１の髄内釘及び／又は第２の髄内釘及び／又は第２の髄内釘プロテーゼの外面には、立体多孔質構造層が形成されている。
【０００８】
さらに、指関節プロテーゼは足指関節プロテーゼであり、第１の髄内釘プロテーゼは中足骨に接続するように構成されており、第２の髄内釘プロテーゼは趾骨に接続するように構成されており、第１の髄内釘は中足骨の骨髄腔の内部に位置し、第２の髄内釘は中足骨の骨髄腔の外部に位置しかつ中足骨の端面に当接している。
【０００９】
さらに、指関節プロテーゼは手指関節プロテーゼであり、第１の髄内釘プロテーゼは中手骨に接続するように構成されており、第２の髄内釘プロテーゼは指骨に接続するように構成されており、第１の髄内釘は中手骨の骨髄腔の内部に位置し、第２の髄内釘は中手骨の骨髄腔の外部に位置しかつ中手骨の端面に当接している。
【００１０】
さらに、立体多孔質構造層は、複数のストラットと、複数のストラットが千鳥状に接続されてなる複数の孔隙とを備え、各孔隙は互いに連通し、各孔隙の平均直径が異なり、各孔隙の平均直径は１００μｍ〜４００μｍの範囲であり、立体多孔質構造層の孔隙率は５０％〜８０％の範囲である。
【００１１】
さらに、第１の髄内釘の外面に形成された立体多孔質構造層における各孔隙の平均直径は、第２の髄内釘の外面に形成された立体多孔質構造層における各孔隙の平均直径よりも大きい。
【００１２】
さらに、第１の髄内釘プロテーゼは、第２の髄内釘に固定接続されたヒンジジョイントをさらに備え、ヒンジジョイントにおける第２の髄内釘プロテーゼに対向する一端は球面として構成されており、第２の髄内釘プロテーゼは球形凹部を備え、球形凹部におけるヒンジジョイントに対向する端面は球面に合わせた凹状球面として構成されている。
【００１３】
さらに、第２の髄内釘プロテーゼは球形凹部に接続された針状部をさらに備え、球形凹部は凹状球面と針状部の外周壁との間に接続され外向きに突出した弧状表面をさらに備え、立体多孔質構造層は弧状表面に形成されている。
【００１４】
さらに、球形凹部の弧状表面は、骨髄腔内に延びるように構成された第１の表面と、骨髄腔の外側に位置する第２の表面とを備え、ここで、第１の表面に形成された立体多孔質構造層における各孔隙の平均直径は、第２の表面に形成された立体多孔質構造層における各孔隙の平均直径よりも大きい。
【００１５】
さらに、第１の表面に形成された立体多孔質構造層における各孔隙の平均直径は、１００μｍ〜２００μｍの範囲であり、第２の表面に形成された立体多孔質構造層における各孔隙の平均直径は、２００μｍ〜４００μｍの範囲である。
【００１６】
さらに、第２の髄内釘の側壁には、第２の髄内釘を貫通する第１の縫線穴が形成されており、ヒンジジョイントにおける前記第２の髄内釘に近接する一端には、ヒンジジョイントを貫通する第２の縫線穴が形成されている。
【００１７】
さらに、針状部の外面は、粗面として構成されている。
【００１８】
さらに、第１の髄内釘と第２の髄内釘と多孔質立体構造層とは一体的に成形されており、及び／又は、第２の髄内釘プロテーゼと多孔質立体構造層とは一体的に成形されている。
【００１９】
本発明による指関節プロテーゼの製造方法は、
第１の髄内釘及び／又は第２の髄内釘及び／又は第２の髄内釘プロテーゼの外面に立体多孔質構造層を形成するステップ（１）と、
第１の髄内釘を骨髄腔内に配置し、第２の髄内釘を骨髄腔の外部に配置し、第１の髄内釘を第２の髄内釘と接続し、第１の髄内釘プロテーゼを構成するステップ（２）と、
第１の髄内釘プロテーゼを第２の髄内釘プロテーゼとヒンジ接続し、指関節プロテーゼを構成するステップ（３）と、を含む。
【００２０】
さらに、前記指関節プロテーゼは足指関節プロテーゼであり、ここで、前記第１の髄内釘プロテーゼは中足骨に接続するように構成されており、前記第２の髄内釘プロテーゼは趾骨に接続するように構成されており、前記第１の髄内釘は前記中足骨の骨髄腔の内部に位置し、前記第２の髄内釘は前記中足骨の骨髄腔の外部に位置しかつ前記中足骨の端面に当接している。
【００２１】
さらに、前記指関節プロテーゼは手指関節プロテーゼであり、ここで、前記第１の髄内釘プロテーゼは中手骨に接続するように構成されており、前記第２の髄内釘プロテーゼは指骨に接続するように構成されており、前記第１の髄内釘は前記中手骨の骨髄腔の内部に位置し、前記第２の髄内釘は前記中手骨の骨髄腔の外部に位置しかつ前記中手骨の端面に当接している。
【００２２】
さらに、ステップ（１）において、第１の髄内釘及び／又は第２の髄内釘及び／又は第２の髄内釘プロテーゼの外面に立体多孔質構造層を形成することは、
第１の髄内釘及び／又は第２の髄内釘及び／又は第２の髄内釘プロテーゼをマイクロＣＴで三次元スキャンし、スキャンされたデータをＭＩＭＩＣＳでリモデリングし、三次元概略モデルを取得するステップと、
三次元概略モデルを、同種の組織の異なる成長要件にそれぞれ適合した領域に分割し、異なる領域が異なる孔隙率を有するように、各領域の孔隙の直径をさらに調整するステップと、
３Ｄ印刷装置で第１の髄内釘及び／又は第２の髄内釘及び／又は第２の髄内釘プロテーゼのソリッドモデルを生成し、３Ｄ印刷装置のフォーカスオフセットパラメータ（focus offset parameter）を５．８ｍＡ〜６．２ｍＡの範囲において調整することにより、生成されたソリッドモデルにおけるストラットの表面に複数の凸起を形成するステップと、を含む。
【００２３】
さらに、前記第１の髄内釘の外面に形成された前記立体多孔質構造層における各孔隙の平均直径は、前記第２の髄内釘の外面に形成された前記立体多孔質構造層における各孔隙の平均直径よりも大きい。
【００２４】
さらに、前記第１の髄内釘プロテーゼは前記第２の髄内釘に固定接続されたヒンジジョイントをさらに備え、前記ヒンジジョイントにおける前記第２の髄内釘プロテーゼに対向する一端は球面として構成されており、前記第２の髄内釘プロテーゼは球形凹部を備え、前記球形凹部における前記ヒンジジョイントに対向する端面は、前記球面に合わせた凹状球面として構成されている。
【００２５】
さらに、前記第２の髄内釘プロテーゼは前記球形凹部に接続された針状部をさらに備え、前記球形凹部は前記凹状球面と前記針状部の外周壁との間に接続され外向きに突出した弧状表面をさらに備え、前記立体多孔質構造層は前記弧状表面に形成されている。
【００２６】
さらに、前記球形凹部の弧状表面は、骨髄腔内に延びるように構成された第１の表面と、骨髄腔の外側に位置する第２の表面とを備え、ここで、前記第１の表面に形成された立体多孔質構造層における各孔隙の平均直径は、前記第２の表面に形成された立体多孔質構造層における各孔隙の平均直径よりも大きい。
【００２７】
さらに、前記第１の表面に形成された立体多孔質構造層における各孔隙の平均直径は、１００μｍ〜２００μｍの範囲であり、前記第２の表面に形成された立体多孔質構造層における各孔隙の平均直径は、２００μｍ〜４００μｍの範囲である。
【００２８】
さらに、前記第２の髄内釘の側壁には、前記第２の髄内釘を貫通する第１の縫線穴が形成されており、前記ヒンジジョイントにおける前記第２の髄内釘に近接する一端には、前記ヒンジジョイントを貫通する第２の縫線穴が形成されている。
【００２９】
さらに、前記針状部の外面は、粗面として構成されている。
【００３０】
さらに、前記第１の髄内釘と前記第２の髄内釘と前記多孔質立体構造層とは一体的に成形されており、及び／又は、前記第２の髄内釘プロテーゼと前記多孔質立体構造層とは一体的に成形されている。
【００３１】
従来技術と比較して、本発明の指関節プロテーゼは、以下のいくつかの優位性がある。
【００３２】
１）第１の髄内釘１１及び／又は第２の髄内釘１２及び／又は第２の髄内釘プロテーゼ２の外面に立体多孔質構造層５を形成することにより、第１の髄内釘プロテーゼ及び／又は第２の髄内釘プロテーゼの外面がより良好な骨の内殖能力及び骨クローリング能力を得る。その結果、指関節プロテーゼの固定をより安定させる。
【００３３】
２）立体多孔質構造層を設けることにより、指関節プロテーゼの重量を効果的に低減することができ、軟組織及び筋肉の付着点の再構築に寄与するため、手術後に患者の回復時間を効果的に短縮し、患者の回復効果を大幅に向上することができる。
【００３４】
３）本発明の指関節プロテーゼの第１の髄内釘プロテーゼ及び第２の髄内釘プロテーゼをカスタマイズして製造することにより、患者の骨髄腔の内径及び湾曲曲率にさらに適応させ、指関節プロテーゼの安定性をさらに強化するだけでなく、指関節の長さの回復にも寄与するため、患者の患部における指関節の長さが健康な指関節の長さと一致することを確保する。
【００３５】
４）第１の縫線穴及び第２の縫線穴を設けることにより、損傷した関節包の修復又は再構築に寄与し、手術後の患者の回復に有利である。
【図面の簡単な説明】
【００３６】
以下、本発明の具体的な実施形態又は従来技術における技術的解決策をより明確に説明するために、具体的な実施形態又は従来技術の説明に必要な図面を簡単に説明する。すべての図面では、同様の要素又は部品は通常、同様の参照記号で表記される。図面では、各要素または部品は必ずしも実際の縮尺で描かれているわけではない。
【図１】図１は、本発明による指関節プロテーゼの構造概略図である。
【図２】図２は、図１に示された指関節プロテーゼと中足骨及び趾骨との接続の概略図である。
【図３】図３は、図１に示された第１の髄内釘プロテーゼの構造概略図である。
【図４】図４は、図３に示されたヒンジジョイントの構造概略図である。
【図５】図５は、図１に示された第２の髄内釘プロテーゼの構造概略図である。
【発明を実施するための形態】
【００３７】
以下、図面を参照しながら本発明の技術的解決策に係る実施形態を詳細に説明する。以下の実施形態は、本発明の技術的解決策をより明確に説明するための例示に過ぎず、本発明の保護範囲を限定するものではない。
【００３８】
図１は、本発明による指関節プロテーゼ１００の構造を示す。図１に示すように、当該指関節プロテーゼ１００は、第１の髄内釘プロテーゼ１と、第１の髄内釘プロテーゼ１とヒンジ接続された第２の髄内釘プロテーゼ２とを備える。第１の髄内釘プロテーゼ１は、骨髄腔に配置するように構成された第１の髄内釘１１と、第１の髄内釘１１に接続され骨髄腔の外部に位置する第２の髄内釘１２とを備える。第２の髄内釘１２は、第２の髄内釘プロテーゼ２にヒンジ接続されている。ここで、第１の髄内釘１１及び／又は第２の髄内釘１２及び／又は第２の髄内釘プロテーゼ２の外面には、立体多孔質構造層５が形成されている。なお、本発明の指関節プロテーゼ１００は、足指関節プロテーゼであっても手指関節プロテーゼであってもよい。以下、足指関節プロテーゼを例として、本発明の指関節プロテーゼ１００の構造及び使用方法について具体的に説明する。
【００３９】
図１及び図２を参照すると、当該指関節プロテーゼ１００は、足指関節プロテーゼである。第１の髄内釘プロテーゼ１は中足骨３に接続するように構成されており、第２の髄内釘プロテーゼ２は、趾骨４に接続するように構成されている。第１の髄内釘１１は中足骨３の骨髄腔の内部に位置し、第２の髄内釘１２は中足骨３の骨髄腔の外部に位置しかつ中足骨４の端面に当接している。
【００４０】
なお、指関節プロテーゼ１００が手指関節プロテーゼである場合、第１の髄内釘プロテーゼ１は中手骨に接続するように構成されており、第２の髄内釘プロテーゼ２は指骨に接続するように構成されている。第１の髄内釘１１は中手骨の骨髄腔の内部に位置し、第２の髄内釘１２は中手骨の骨髄腔の外部に位置しかつ中手骨の端面に当接している。
【００４１】
図２に示すように、本発明の足指関節プロテーゼは、足指関節の置換に適用される場合、患者の中足骨３及び趾骨４に対して骨切り処理を行う必要があり、骨切り処理後の中足骨３及び趾骨４に多くの骨欠損が存在する。本発明では、第１の髄内釘プロテーゼ１が第１の髄内釘１１と第２の髄内釘１２との２つの部分を備えるように構成されるため、第１の髄内釘１１が中足骨３の骨髄腔３１内まで延伸可能であり、このように、その後、骨髄腔３１内における骨組織と迅速に融合され得る。一方、中足骨３の外部に位置する第２の髄内釘１２は、中足骨３の骨欠損を効果的に補うことができ、つまり、第２の髄内釘１２の長さにより中足骨３に欠損した骨２の長さを補うことができる。同時に、第２の髄内釘１２を中足骨３の端面に当接させることで、第１の髄内釘プロテーゼ１と中足骨３との固定安定性を効果的に確保することができる。第２の髄内釘プロテーゼ２の一端を趾骨４に接続し、他端を第１の髄内釘プロテーゼ１にヒンジ接続することで、第２の髄内釘プロテーゼ２と中足骨３の接続を実現すると同時に、中足骨３に対する趾骨４の摺動を実現するため、指関節１００の可動機能を実現する。
【００４２】
第１の髄内釘１１及び／又は第２の髄内釘１２及び／又は第２の髄内釘プロテーゼ２の外面に立体多孔質構造層５が形成されることで、第１の髄内釘プロテーゼ１及び／又は第２の髄内釘プロテーゼ２の外面は、多孔質構造になる。このように、第１の髄内釘１１が骨髄腔３１の内壁とのより大きな接触面積を有し、つまり、第１の髄内釘１１の外面がより良好な骨の内殖能力を得る。その結果、骨髄腔３１内の骨組織が多孔質構造内に迅速に成長することができるため、中足骨３内における指関節プロテーゼ１００の安定した固定に寄与する。第２の髄内釘１２の外面に多孔質構造が形成されることで、第２の髄内釘１２の外面がより良い骨クローリング能力（bone crawling ability）を得る。その結果、骨髄腔３１内の骨組織が第２の髄内釘１２の外面に沿ってその多孔質構造内に迅速に成長することができるため、第１の髄内釘プロテーゼ１と中足骨３の固定をより安定させる。また、第２の髄内釘プロテーゼ２の外面に多孔質構造が形成されることで、同様に、第２の髄内釘プロテーゼ２が趾骨４とのより大きな接触面積を有し、骨髄腔４１内の骨組織が多孔質構造内に迅速に成長することができるため、第２の髄内釘プロテーゼ２の外面がより良い骨の内殖能力及び骨クローリング能力を得る。その結果、第２の髄内釘プロテーゼ２と趾骨４との固定をより安定させる。
【００４３】
また、立体多孔質構造層５を設けることにより、指関節プロテーゼ１００の重量を効果的に低減することができ、軟組織及び筋肉の付着点の再構築に寄与するため、手術後に患者の回復時間を効果的に短縮し、患者の回復効果を大幅に向上することができる。
【００４４】
また、第１の髄内釘プロテーゼ１及び第２の髄内釘プロテーゼ２をカスタマイズして製造することにより、第１の髄内釘プロテーゼ１及び第２の髄内釘プロテーゼ２は、患者の中足骨３及び趾骨４の骨髄腔の内径及び湾曲曲率にさらに適応するようになるため、第１の髄内釘プロテーゼ１と中足骨３との間、及び第２の髄内釘プロテーゼ２と趾骨４との間のマッチングの安定性をさらに強化する。さらに、カスタマイズして製造された第１の髄内釘プロテーゼ１及び第２の髄内釘プロテーゼ２は、足指関節の長さの回復に寄与するため、患者の患部における足指関節の長さが健康な足指関節の長さと一致することを確保する。
【００４５】
本発明によれば、立体多孔質構造層５は、複数のストラット（strut）と、複数のストラットが千鳥状に接続されてなる複数の孔隙とを備えても良い。各孔隙は、互いに連通し、各孔隙の平均直径が異なる。ここで、各孔隙の平均直径は１００μｍ〜４００μｍの範囲であり、立体多孔質構造層５の孔隙率は５０％〜８０％の範囲である。ストラットが千鳥状に接続されてなる各孔隙を互いに連通させ、かつ各孔隙の平均直径が異なるように構成するとともに、立体多孔質構造層５の孔隙の平均直径及び孔隙率範囲を設定することで、立体多孔質構造層５は、人体の骨小柱（bone trabecular）構造とより類似している構造を有し、高い孔隙率及び連通性を有するため、良好な骨の内殖を誘導することができ、人体の骨質を立体多孔質構造層５の孔隙内に迅速かつ自然に成長させることができる。このように、骨芽細胞の接着、増殖、分化の能力を向上させ、中足骨３及び趾骨４内への骨組織の成長及びクローリングを効果的に促進し、さらに、手術後の指関節プロテーゼ１００と人体骨組織との迅速な融合及び固定に寄与するため、手術後の患者の回復効果を効果的に向上することができる。
【００４６】
好ましくは、立体多孔質構造層５の外部から内部への方向における孔隙の密度を徐々に増加させることで、人体の骨の内殖中に、骨組織がよりスムーズに立体多孔質構造層５の外部から立体多孔質構造層５の内部に成長することができ、立体多孔質構造層５と人体骨組織との融合及び固定効果を向上することができる。
【００４７】
さらに好ましくは、各ストラットの外周壁には、ストラットの外周壁の粗さを増大させその外周壁の摩擦力を増大させるように構成された複数の凸部（図示せず）が形成されてもよい。このように、骨の内殖中に、骨組織とストラットとの固定がより強固で安定している。好ましくは、当該凸部は、円形の凸点であっても錐状の凸点であってもよい。なお、当該凸部の形状は、当該凸部がストラットの外表面積を効果的に増加させその外周壁の摩擦力を増大させる目的を達成できる限り、上記の形状に限定されず、ここで詳細な説明を省略する。さらに、当該凸部は、断面の最大輪郭形状の幅が５〜５０μｍの範囲であり、最大高さが１０〜５０μｍの範囲である。
【００４８】
さらに好ましくは、凸部は、ストラットの外面に沿って、均一に分布してもよく、離散的に分布してもよい。さらに好ましくは、立体多孔質構造層５では、骨の内殖をより強固にするために、孔隙率の比較的大きい領域のストラットにおける凸部の数は、孔隙率の比較的小さい領域のストラットにおける凸部の数よりも大きくなってもよい。さらに好ましくは、立体多孔質構造層５の外縁のストラットにおける凸部の密度は、立体多孔質構造層５の内部のストラットにおける凸部の密度よりも大きい。
【００４９】
好ましい実施形態では、第１の髄内釘１１及び第２の髄内釘１２の外面には、それぞれ、立体多孔質構造層５が形成されている。好ましくは、第１の髄内釘１１及び第２の髄内釘１２の外面に形成された立体多孔質構造層５は、同じ厚さを有してもよい。好ましくは、立体多孔質構造層５の厚さは、１ｍｍ〜２ｍｍの範囲であり、より好ましくは１．５ｍｍである。このように設定することにより、一方で、第１の髄内釘プロテーゼ１が骨の内殖及び骨クローリングをより効果的に助ける外面を有し、他方で、第１の髄内釘プロテーゼ１がより良好な応力耐荷重、伝導及び分散能力を有するため、指関節プロテーゼ１００がより安定した使用効果を得る。
【００５０】
当然、第１の髄内釘１１及び第２の髄内釘１２の外面に形成された立体多孔質構造層５の厚さは異なってもよく、第１の髄内釘プロテーゼ１が適用される患者によって特別に設計することができる。例えば、患者の骨の内殖能力が低い場合、第１の髄内釘プロテーゼ１の強度を保証するために、第１の髄内釘１１の外面における立体多孔質構造層５の厚さは、第２の髄内釘１２の外面における立体多孔質構造層５の厚さよりも大きくなるよう設定されてもよい。患者自身の骨クローリング能力が低い場合、第１の髄内釘プロテーゼ１の固定安定性を保証するために、第２の髄内釘１２の外面における立体多孔質構造層５の厚さは、第１の髄内釘１１の外面における立体多孔質構造層５の厚さよりも大きくなるように設定されてもよい。
【００５１】
好ましくは、第１の髄内釘１１の外面に形成された立体多孔質構造層５における各孔隙の平均直径は、第２の髄内釘１２の外面に形成された立体多孔質構造層５における各孔隙の平均直径よりも大きくなってもよい。さらに、好ましくは、第１の髄内釘１１の外面に形成された多孔質立体構造層５における各孔隙の平均直径が２００μｍ〜４００μｍの範囲であり、この場合、当該領域の孔隙率が５０％〜６０％の範囲に制御することができ、より好ましくは、各孔隙の平均直径が３００μｍ〜４００μｍの範囲であり、孔隙率が５０％〜５５％の範囲に制御することができる。好ましくは、第２の髄内釘１２の外面に形成された多孔質立体構造層５における各孔隙の平均直径が１００μｍ〜２００μｍの範囲であり、この場合、孔隙率が７０％〜８０％の範囲に制御することができ、より好ましくは、各孔隙の平均直径が１００μｍ〜１５０μｍの範囲であり、孔隙率が７５％〜８０％の範囲に制御することができる。
【００５２】
以上の設定により、第１の髄内釘１１の外面に形成された多孔質立体構造層５の直径が２００μｍ〜４００μｍの範囲である場合、骨の内殖をより良好に促進することができるため、指関節プロテーゼ１００の置換の初期段階でより安定した固定効果を得ることができる。一方、第２の髄内釘１２の外面に形成された多孔質立体構造層５の直径が１００μｍ〜２００μｍの範囲である場合、骨クローリングの成長速度が最も速いため、指関節プロテーゼ１００の置換の中期及び後期段階で骨組織の成長を速め、さらに、患者のより迅速なリハビリテーションを促進することができる。
【００５３】
図３に示すように、第２の髄内釘１２と第１の髄内釘１１との接続部には、中足骨３の端面に当接するためのプラットフォーム１３が形成されてもよい。当該プラットフォーム１３は、中足骨３からの作用力に耐えるためのものであり、プラットフォームの形で第２の髄内釘１２のより良い機械的支持機能を実現し、第１の髄内釘プロテーゼ１の全体的な機械的支持能力の改善に寄与する。好ましくは、第２の髄内釘１２は、断面円弧状の柱状として構成されてもよい。このように、指関節プロテーゼ１００は、使用中により安定であり、中足骨３に対する支持効果がより安定である。
【００５４】
別の好ましい実施形態では、第１の髄内釘１１、第２の髄内釘１２、及び第２の髄内釘プロテーゼ２の外面には、それぞれ、立体多孔質構造層５が形成されている。第２の髄内釘プロテーゼ２の外面に形成された立体多孔質構造層５の厚さは、上記の第１の髄内釘１１及び第２の髄内釘１２の外面における立体多孔質構造層５の厚と、同一であっても異なってもよく、第２の髄内釘プロテーゼ２が適用される患者によって特別に設計することができる。以下、当該部分の構造について詳細に説明する。
【００５５】
本発明によれば、図３に示すように、第１の髄内釘プロテーゼ１は、第２の髄内釘１２に固定接続されたヒンジジョイント１４をさらに備えてもよい。ヒンジジョイント１４における第２の髄内釘プロテーゼ２に対向する一端は、球面１４１として構成されている。図５に示すように、第２の髄内釘プロテーゼ２は、球形凹部２１を備える。球形凹部２１におけるヒンジジョイント１４に対向する端面には、球面１４１に合わせた凹状球面２１１が構成されている。ヒンジジョイント１４の球面１４１と第２の髄内釘プロテーゼ２の凹状球面２１１のマッチングにより、ヒンジジョイント１４と第２の髄内釘プロテーゼ２とは、球面によるヒンジ接続モードが形成されている。このような接続モードにより、第２の髄内釘プロテーゼ２がヒンジジョイント１４の中心線に対して揺動可能になるだけでなく、第２の髄内釘プロテーゼ２がヒンジジョイント１４に対して回動可能になるため、中足骨３と趾骨４の間の相対運動が自在となる。好ましくは、第２の髄内釘１２とヒンジジョイント１４の固定接続モードは、ねじ接続であってもよい。このように、第２の髄内釘１２とヒンジジョイント１４の固定が安定し、容易に脱着可能である。例えば、図３及び図４に示すように、第２の髄内釘１２におけるヒンジジョイント１４と接触している端面には、スタッド１２１が設けられてもよく、ヒンジジョイント１４における第２の髄内釘１２と接触している端面には、スタッド１２１とねじ接続されたねじ穴１４２が形成されてもよい。
【００５６】
本発明によれば、図５に示すように、第２の髄内釘プロテーゼ２は、球形凹部２１に接続され趾骨４の骨髄腔４１内に移植するための針状部２２をさらに備えてもよい。球形凹部２１は、凹状球面と針状部２２の外周壁との間に接続され外向きに突出した弧状表面２３をさらに備える。弧状表面２３は、趾骨４の端面に当接し、弧状表面２３に立体多孔質構造層５が形成されている。このような構成により、図２を参照すると、針状部２２が趾骨４の骨髄腔４１内に延伸可能であり、このように、その後、骨髄腔４１内における骨組織と迅速に融合され得る。一方、趾骨４の外部に位置する弧状表面２３は、その表面と趾骨４の端面との接触面積を効果的に増加することができるため、第２の髄内釘プロテーゼ２と趾骨４の固定安定性を効果的に確保することができる。また、弧状表面２３の外向きに突出するラジアンを調整することにより、第２の髄内釘プロテーゼ２と趾骨４を合わせた高さを調整することができ、趾骨４に欠損した骨の長さを効果的に補う。さらに、弧状表面２３に立体多孔質構造層５を形成することにより、第２の髄内釘プロテーゼ２の外面が多孔質構造となる。このように、多孔質構造により、弧状表面２３がより良好な骨の内殖能力及び骨クローリング能力を得る。その結果、骨髄腔４１内の骨組織が弧状表面２３に沿ってその多孔質構造内に迅速に成長することができるため、第２の髄内釘プロテーゼ２と趾骨４の固定をより安定させる。
【００５７】
図２に示す好ましい実施形態では、球形凹部の弧状表面２３は、趾骨４の骨髄腔４１内に延びる第１の表面２３１と、趾骨４の骨髄腔４１の外側に位置する第２の表面２３２とを備えてもよい。ここで、第１の表面２３１に形成された立体多孔質構造層５における各孔隙の平均直径は、第２の表面２３２に形成された立体多孔質構造層５における各孔隙の平均直径よりも大きい。さらに、好ましくは、第１の表面２３１に形成された立体多孔質構造層５における各孔隙の平均直径が２００μｍ〜４００μｍの範囲であり、この場合、当該領域の孔隙率が５０％〜６０％の範囲に制御することができ、より好ましくは、各孔隙の平均直径が３００μｍ〜４００μｍの範囲であり、孔隙率が５０％〜５５％の範囲に制御することができる。好ましくは、第２の表面２３２に形成された立体多孔質構造層５における各孔隙の平均直径が１００μｍ〜２００μｍの範囲であり、この場合、孔隙率が７０％〜８０％の範囲に制御することができ、より好ましくは、各孔隙の平均直径が１００μｍ〜１５０μｍの範囲であり、孔隙率が７５％〜８０％の範囲に制御することができる。
【００５８】
以上の設定により、第１の表面２３１に形成された多孔質立体構造層５の直径が２００μｍ〜４００μｍの範囲である場合、骨の内殖をより良好に促進することができるため、指関節プロテーゼ１００の置換の初期段階でより安定した固定効果を得ることができる。一方、第２の表面２３２に形成された多孔質立体構造層５の直径が１００μｍ〜２００μｍの範囲である場合、骨クローリングの成長速度が最も速いため、指関節プロテーゼ１００の置換の中期及び後期段階で骨組織の成長を速め、さらに、患者のより迅速なリハビリテーションを促進することができる。
【００５９】
好ましい実施形態では、第１の表面２３１と第２の表面２３２に形成された立体多孔質構造層５の厚さは同一であってもよい。好ましくは、立体多孔質構造層５の厚さは１ｍｍ〜２ｍｍの範囲であり、より好ましくは１．５ｍｍである。このように設定することにより、一方で、第２の髄内釘プロテーゼ２が骨の内殖及び骨クローリングをより効果的に助ける外面を有し、他方で、第２の髄内釘プロテーゼ２がより良好な応力耐荷重、伝導及び分散能力を有するため、指関節プロテーゼ１００がより安定した使用効果を得る。
【００６０】
当然、第１の表面２３１及び第２の表面２３２に形成された立体多孔質構造層５の厚さは異なってもよく、第２の髄内釘プロテーゼ２が適用される患者によって特別に設計することができる。例えば、患者の骨の内殖能力が低い場合、第２の髄内釘プロテーゼ２の強度を保証するために、第１の表面２３１における立体多孔質構造層５の厚さは、第２の表面２３２における立体多孔質構造層５の厚さよりも大きくなるよう設定されてもよい。患者自身の骨クローリング能力が低い場合、第２の髄内釘プロテーゼ１の固定安定性を保証するために、第２の表面２３２における立体多孔質構造層５の厚さは、第１の表面２３１における立体多孔質構造層５の厚さよりも大きくなるように設定されてもよい。
【００６１】
図５に示す実施形態では、弧状表面２３は、凹状球面２１１と針状部２２の中部の外周壁との間に接続されてもよい。このような構成により、弧状表面２３に形成された立体多孔質構造層５は、趾骨４のより良好な骨の内殖及びより迅速な骨クローリングを達成できるという前提で、立体多孔質構造層５の材料を節約し、材料の無駄を回避することができる。当然、弧状表面２３は、凹状球面２１１と針状部２２の中上部の外周壁との間に接続されてもよく、凹状球面２１１と針状部２２の中下部の外周壁との間に接続されてもよい。その具体的な構成は、患者の個人差によって、患者のニーズに応じて適当に設定することができる。
【００６２】
好ましくは、針状部２２の外面は、粗面として構成されてもよい。すなわち、弧状表面２３の外部に位置する針状部２２の外面は、粗面として構成され得る。針状部２２は、趾骨４の骨髄腔４１において骨セメントによって固定することができる。このような構成により、針状部２２の外面は、より大きな接触面積を有し、骨セメントによって針状部２２と趾骨４の骨髄腔４１とをより強固に固定するのに役立つ。
【００６３】
図３及び図５に示すように、好ましくは、第１の髄内釘１１と第２の髄内釘１２と多孔質立体構造層５とは、一体的に成形されてもよく、及び／又は、第２の髄内釘プロテーゼ２と多孔質立体構造層５とは、一体的に成形されてもよい。ここで、立体多孔質構造層５は、チタン合金、純チタン、又はタンタル金属などであり得る金属粉末で作られてもよい。好ましくは、立体多孔質構造層５は、チタン合金材料で作られ、より好ましくはＴｉ６Ａｌ４Ｖで作られる。第１の髄内釘１１、第２の髄内釘１２、及び第２の髄内釘プロテーゼ２は、チタン合金材料で作られてもよい。一体成形の加工方法により、第１の髄内釘プロテーゼ１及び第２の髄内釘プロテーゼ２の加工を容易にするだけでなく、第１の髄内釘プロテーゼ１及び第２の髄内釘プロテーゼ２の各部材間の相互作用力を低減するため、第１の髄内釘プロテーゼ１及び第２の髄内釘プロテーゼ２は、より安定した全体構造及びより良好な機械的強度を有する。
【００６４】
本発明によれば、図３に示すように、第２の髄内釘１２の側壁には、第２の髄内釘１２を貫通する第１の縫線穴１２２が形成されており、ヒンジジョイント１４における第２の髄内釘１２に近接する一端には、ヒンジジョイント１４を貫通する第２の縫線穴１４３が形成されている。腫瘍や粉砕骨折などで人体の足指関節を修復する必要がある場合、足指関節に深刻な骨欠損を引き起こしやすく、深刻な骨欠損が足指関節における関節包に損傷を与えやすい。上記の構成により、軟組織を第１の縫線穴１２２と第２の縫線穴１４３の間に縫合することで、損傷した関節包を修復又は再構築することができるため、手術後の患者の回復に寄与する。
【００６５】
好ましくは、第２の髄内釘１２に形成された第１の縫線穴１２２は複数であってもよく、ヒンジジョイント１４に形成された第２の縫線穴１４３は複数であってもよい。より好ましくは、図３に示すように、第２の髄内釘１２に形成された第１の縫線穴１２２の数は、ヒンジジョイント１４に形成された第２の縫線穴１４３の数に等しくてもよく、また、各第１の縫線穴１２２及び各第２の縫線穴１４３は、それぞれ、足指関節１００の外側に近接している。好ましくは、各第１の縫線穴１２２及び各第２の縫線穴１４３は、それぞれ、同一垂直線に配列されており、このように、第１の縫線穴１２２及び第２の縫線穴１４３を通過して縫合された関節包は、人体の関節包とより類似し、その結果、移植後の指関節プロテーゼ１００の運動機能をさらに向上することができる。
【００６６】
さらに好ましくは、第１の縫線穴１２２及び第２の縫線穴１４３の直径は２.５ｍｍ〜４ｍｍの範囲であってもよい。さらに、第１の縫線穴１２２及び第２の縫線穴１４３は、具体的に、対応する穴の軸方向に沿って湾曲した貫通穴であり、当該湾曲したラジアンを有する貫通穴の軸方向長さは、２．５ｍｍ〜４０ｍｍの範囲であってもよい。具体的な長さの値は、手術の操作及び軟組織のより良い縫合を容易にするように、縫合中に使用された湾曲した縫合針の直径及び縫合針の曲率に従って決定することができる。
【００６７】
最後に、上記の技術的解決策は、指関節プロテーゼ１００が患者の手指関節の置換に使用される場合にも適用可能であることに留意されたい。すなわち、指関節プロテーゼ１００が手指関節プロテーゼである場合、上記の技術的解決策に係る中足骨及び趾骨の代わりに、当該指関節プロテーゼ１００の第１の髄内釘プロテーゼ１を中手骨との接続に使用し、第２の髄内釘プロテーゼ２を指骨との接続に使用すればよい。ここで、詳しい説明を省略する。
【００６８】
本発明による指関節プロテーゼの製造方法は、
第１の髄内釘及び／又は第２の髄内釘及び／又は第２の髄内釘プロテーゼの外面に立体多孔質構造層を形成するステップ（１）と、
第１の髄内釘を骨髄腔内に配置し、第２の髄内釘を骨髄腔の外部に配置し、第１の髄内釘を第２の髄内釘と接続し、第１の髄内釘プロテーゼを構成するステップ（２）と、
第１の髄内釘プロテーゼを第２の髄内釘プロテーゼとヒンジ接続し、指関節プロテーゼを構成するステップ（３）と、を含む。
【００６９】
さらに、前記指関節プロテーゼは足指関節プロテーゼであり、ここで、前記第１の髄内釘プロテーゼは中足骨に接続するように構成されており、前記第２の髄内釘プロテーゼは趾骨に接続するように構成されており、前記第１の髄内釘は前記中足骨の骨髄腔の内部に位置し、前記第２の髄内釘は前記中足骨の骨髄腔の外部に位置しかつ前記中足骨の端面に当接している。
【００７０】
さらに、前記指関節プロテーゼは手指関節プロテーゼであり、ここで、前記第１の髄内釘プロテーゼは中手骨に接続するように構成されており、前記第２の髄内釘プロテーゼは指骨に接続するように構成されており、前記第１の髄内釘は前記中手骨の骨髄腔の内部に位置し、前記第２の髄内釘は前記中手骨の骨髄腔の外部に位置しかつ前記中手骨の端面に当接している。
【００７１】
さらに、ステップ（１）において、第１の髄内釘及び／又は第２の髄内釘及び／又は第２の髄内釘プロテーゼの外面に立体多孔質構造層を形成することは、具体的に、
第１の髄内釘及び／又は第２の髄内釘及び／又は第２の髄内釘プロテーゼをマイクロＣＴで三次元スキャンし、スキャンされたデータをＭＩＭＩＣＳでリモデリングし、三次元概略モデルを取得するステップと、
三次元概略モデルを、同種の組織の異なる成長要件にそれぞれ適合した領域に分割し、異なる領域が異なる孔隙率を有するように、各領域の孔隙の直径をさらに調整するテップと、
３Ｄ印刷装置で第１の髄内釘及び／又は第２の髄内釘及び／又は第２の髄内釘プロテーゼのソリッドモデルを生成し、３Ｄ印刷装置のフォーカスオフセットパラメータを５．８ｍＡ〜６．２ｍＡの範囲において調整することにより、生成されたソリッドモデルにおけるストラットの表面に複数の凸起を形成するステップと、を含む。
【００７２】
さらに、前記第１の髄内釘の外面に形成された前記立体多孔質構造層における各孔隙の平均直径は、前記第２の髄内釘の外面に形成された前記立体多孔質構造層における各孔隙の平均直径よりも大きい。
【００７３】
さらに、前記第１の髄内釘プロテーゼは前記第２の髄内釘に固定接続されたヒンジジョイントをさらに備え、前記ヒンジジョイントにおける前記第２の髄内釘プロテーゼに対向する一端は球面として構成されており、前記第２の髄内釘プロテーゼは球形凹部を備え、前記球形凹部における前記ヒンジジョイントに対向する端面は、前記球面に合わせた凹状球面として構成されている。
【００７４】
さらに、前記第２の髄内釘プロテーゼは前記球形凹部に接続された針状部をさらに備え、前記球形凹部は前記凹状球面と前記針状部の外周壁との間に接続され外向きに突出した弧状表面をさらに備え、前記立体多孔質構造層は前記弧状表面に形成されている。
【００７５】
さらに、前記球形凹部の弧状表面は、骨髄腔内に延びるように構成された第１の表面と、骨髄腔の外側に位置する第２の表面とを備え、ここで、前記第１の表面に形成された立体多孔質構造層における各孔隙の平均直径は、前記第２の表面に形成された立体多孔質構造層における各孔隙の平均直径よりも大きい。
【００７６】
さらに、前記第１の表面に形成された立体多孔質構造層における各孔隙の平均直径は、１００μｍ〜２００μｍの範囲であり、前記第２の表面に形成された立体多孔質構造層における各孔隙の平均直径は、２００μｍ〜４００μｍの範囲である。
【００７７】
さらに、前記第２の髄内釘の側壁には、前記第２の髄内釘を貫通する第１の縫線穴が形成されており、前記ヒンジジョイントにおける前記第２の髄内釘に近接する一端には、前記ヒンジジョイントを貫通する第２の縫線穴が形成されている。
【００７８】
さらに、前記針状部の外面は、粗面として構成されている。
【００７９】
さらに、前記第１の髄内釘と前記第２の髄内釘と前記多孔質立体構造層とは一体的に成形されており、及び／又は、前記第２の髄内釘プロテーゼと前記多孔質立体構造層とは一体的に成形されている。
【００８０】
上記の各実施形態は、本発明の技術的解決策を説明するためのものに過ぎず、本発明を限定されるものではない。上記の各実施形態を参照して本発明を詳細に説明したが、当業者は、上記の各実施形態に記載された技術的解決策について修正、その技術的特征の一部又はすべての均等交換を行うことができると理解されるべきである。これらの修正又は交換は、対応する技術的解決策の本質を本出願の各実施形態の技術的解決策の範囲から逸脱させるものではなく、本発明の特許請求の範囲及び明細書の範囲に含まれるものとする。特に、構造的な矛盾がない限り、各実施形態で言及された各技術的特徴は、任意の方法で組み合わせることができる。本発明は、本明細書に開示される特定の実施形態に限定されず、特許請求の範囲に含まれるすべての技術的解決策を包含する。
【図１】
2021526061.tif 000003
【図２】
2021526061.tif 000004
【図３】
2021526061.tif 000005
【図４】
2021526061.tif 000006
【図５】
2021526061.tif 000007
【国際調査報告】
2021526061.tif 000008
2021526061.tif 000009
2021526061.tif 000010
2021526061.tif 000011
2021526061.tif 000012
2021526061.tif 000013
2021526061.tif 000014
2021526061.tif 000015